(57)【要約】【課題】被駆動ギアに歯を間欠的に形成するとともに、遊星ギアが被駆動ギアから離れる方向に遊星レバーを揺動させた際、遊星ギアと被駆動ギアとが互いに接触しないように、遊星ギアと被駆動ギアの歯形を形成することにより、シンプルかつコンパクトな構成の回転伝達装置及びその回転伝達装置を用いたカメラを提供することを目的とする。【解決手段】駆動ギア１１４に噛合された遊星ギア１２０を遊星レバー１１８の揺動によって被駆動ギア１１６に噛み合わせることにより、駆動軸１１０の回転を被駆動軸１１２に伝達する回転伝達装置１００において、駆動ギア１１４に歯１１４Ａを間欠的に形成するとともに、遊星ギア１２０が被駆動ギア１１６から離れる方向に遊星レバー１１８を揺動させた際、遊星ギア１２０と被駆動ギア１１６とが互いに接触しないように、遊星ギア１２０と被駆動ギア１１６の歯形を形成する。【選択図】      図１
2005273777.tif 000002
【特許請求の範囲】
【請求項１】
駆動軸の回転を被駆動軸に任意に断続して伝達する回転伝達装置であって、前記駆動軸に設けられた駆動ギアと、前記被駆動軸に設けられた被駆動ギアと、前記駆動ギアの回転中心を中心に揺動自在に設けられた遊星レバーと、前記遊星レバーに回転自在に設けられ、前記駆動ギアに噛み合わされた遊星ギアと、からなり、前記遊星レバーを正方向に揺動させ、前記遊星ギアを前記被駆動ギアに噛み合わせることにより、前記駆動ギアの回転を前記被駆動ギアに伝達し、前記遊星レバーを逆方向に揺動させ、前記遊星ギアを前記被駆動ギアから退避させることにより、前記駆動ギアから前記被駆動ギアへの回転伝達を遮断する回転伝達装置において、
前記被駆動ギアに歯を間欠的に形成するとともに、前記遊星レバーを逆方向に揺動させた際、前記遊星ギアと前記被駆動ギアとが互いに接触しないように前記遊星ギアと前記被駆動ギアの歯形を形成することを特徴とする回転伝達装置。
【請求項２】
前記駆動軸と前記遊星レバーとの間にフリクションを与えるフリクション部材を有し、前記駆動軸を正方向に回転させると、前記遊星レバーが前記フリクション部材を介して正方向に回転し、前記駆動軸を逆方向に回転させると、前記フリクション部材を介して前記遊星レバーが逆方向に回転することを特徴とする請求項１に記載の回転伝達装置。
【請求項３】
前記フリクション部材は、コイル状に形成され、前記駆動軸の外周に巻き付けられるとともに、一端が前記遊星レバーに係止されて、前記駆動軸と前記遊星レバーとの間にフリクションを与えることを特徴とする請求項１に記載の回転伝達装置。
【請求項４】
請求項１、２又は３に記載の回転伝達装置によってスプールの回転をスプロケットに伝達するカメラであって、
前記回転伝達装置の駆動軸に前記スプールを設けるとともに、被駆動軸に前記スプロケットを設けたことを特徴とするカメラ。
【発明の詳細な説明】
【技術分野】
【０００１】
本発明は回転伝達装置及びその回転伝達装置を用いたカメラに係り、特に予備巻き方式のカメラにおけるスプールとスプロケットとの間の回転伝達に使用される回転伝達装置及びその回転伝達装置を用いたカメラに関する。
【背景技術】
【０００２】
駆動軸の回転を被駆動軸に任意に断続して伝達する手段として、遊星ギア機構を用いた回転伝達装置が知られている。この回転伝達装置は、駆動軸に設けられた駆動ギアに遊星ギアを噛み合せ、この遊星ギアを遊星レバーによって揺動させることにより、被駆動軸に設けられた被駆動ギアを噛み合わせたり、外したりして、駆動軸の回転を被駆動軸に任意に断続して伝達する。
【０００３】
しかし、このような構成の回転伝達装置では、遊星ギアを被駆動ギアから外す際、遊星レバーの揺動により遊星ギアが回転する方向と逆方向に被駆動ギアが回転していると、遊星ギアと被駆動ギアとの噛み合いが外れなくなるおそれがある。
【０００４】
このため、特許文献１では、太陽ギアを第１方向に回転させると、遊星ギアと入力ギアとが噛み合って、駆動系に回転が伝達され、駆動対象が駆動されるとともに、太陽ギアを第２方向に回転させると、遊星ギアと入力ギアとの噛み合いが外れて、駆動系への回転伝達が遮断される駆動装置において、太陽ギアの回転が第２方向に切り替わったときから遊星ギアと入力ギアとの噛み合いが外れるまでの間、駆動系内の運動伝達経路を断続する断続機構を設けることにより、噛み合いが外れなくなるのを防止している。
【特許文献１】特開平８−１７１１２４号公報
【発明の開示】
【発明が解決しようとする課題】
【０００５】
しかしながら、特許文献１の構成では、別途断続機構を設ける必要があるため、装置の構成が複雑かつ大型化するという欠点がある。
【０００６】
本発明は、このような事情に鑑みてなされたもので、シンプルかつコンパクトな構成の回転伝達装置及びその回転伝達装置を用いたカメラを提供することを目的とする。
【課題を解決するための手段】
【０００７】
請求項１に係る発明は、前記目的を達成するために、駆動軸の回転を被駆動軸に任意に断続して伝達する回転伝達装置であって、前記駆動軸に設けられた駆動ギアと、前記被駆動軸に設けられた被駆動ギアと、前記駆動ギアの回転中心を中心に揺動自在に設けられた遊星レバーと、前記遊星レバーに回転自在に設けられ、前記駆動ギアに噛み合わされた遊星ギアと、からなり、前記遊星レバーを正方向に揺動させ、前記遊星ギアを前記被駆動ギアに噛み合わせることにより、前記駆動ギアの回転を前記被駆動ギアに伝達し、前記遊星レバーを逆方向に揺動させ、前記遊星ギアを前記被駆動ギアから退避させることにより、前記駆動ギアから前記被駆動ギアへの回転伝達を遮断する回転伝達装置において、前記被駆動ギアに歯を間欠的に形成するとともに、前記遊星レバーを逆方向に揺動させた際、前記遊星ギアと前記被駆動ギアとが互いに接触しないように前記遊星ギアと前記被駆動ギアの歯形を形成することを特徴とする回転伝達装置を提供する。
【０００８】
本発明によれば、被駆動ギアに歯が間欠的に形成されるとともに、遊星レバーを逆方向に揺動させた際、遊星ギアと被駆動ギアとが互いに接触しないように、遊星ギアと被駆動ギアの歯形が形成される。これにより、遊星ギアを被駆動ギアからスムーズに外すことができる。
【０００９】
また、請求項２に係る発明は、前記目的を達成するために、前記駆動軸と前記遊星レバーとの間にフリクションを与えるフリクション部材を有し、前記駆動軸を正方向に回転させると、前記遊星レバーが前記フリクション部材を介して正方向に回転し、前記駆動軸を逆方向に回転させると、前記フリクション部材を介して前記遊星レバーが逆方向に回転することを特徴とする請求項１に記載の回転伝達装置を提供する。
【００１０】
本発明によれば、フリクション部材によって駆動軸と遊星レバーとの間に与えられるフリクションによって遊星レバーが駆動軸の回転に連動して揺動する。これにより、別途遊星レバーを揺動させる機構が不要になり、更に構成が簡略化される。
【００１１】
また、請求項３に係る発明は、前記目的を達成するために、前記フリクション部材は、コイル状に形成され、前記駆動軸の外周に巻き付けられるとともに、一端が前記遊星レバーに係止されて、前記駆動軸と前記遊星レバーとの間にフリクションを与えることを特徴とする請求項１に記載の回転伝達装置を提供する。
【００１２】
本発明によれば、コイル状に形成され、一端が遊星レバーに係止されたフリクション部材の締め付け力によって、駆動軸と遊星レバーとの間にフリクションが与えられる。これにより、シンプルな構成で駆動軸と遊星レバーとの間にフリクションを与えることができ、装置構成を更にコンパクト化することができる。
【００１３】
また、請求項４に係る発明は、前記目的を達成するために、請求項１、２又は３に記載の回転伝達装置によってスプールの回転をスプロケットに伝達するカメラであって、前記回転伝達装置の駆動軸に前記スプールを設けるとともに、被駆動軸に前記スプロケットを設けたことを特徴とするカメラを提供する。
【００１４】
本発明によれば、請求項１、２又は３に記載の回転伝達装置が、カメラのスプールとスプロケットとの回転伝達に用いられる。これにより、カメラの構成をシンプルかつコンパクトにすることができる。
【発明の効果】
【００１５】
本発明に係る回転伝達装置及びその回転伝達装置を用いたカメラによれば、構成をシンプルかつコンパクトにすることができる。
【発明を実施するための最良の形態】
【００１６】
以下、添付図面に従って本発明に係る回転伝達装置及びその回転伝達装置を用いたカメラを実施するための最良の形態について詳説する。
【００１７】
図１は、本発明に係る回転伝達装置の一実施形態を示す平面図である。この回転伝達装置１００は、駆動軸１１０の回転を被駆動軸１１２に任意に断続して伝達するもので、図１に示すように、駆動ギア１１４、被駆動ギア１１６、遊星レバー１１８、遊星ギア１２０で構成されている。
【００１８】
駆動ギア１１４は、駆動軸１１０に一体的に成形されている。被駆動ギア１１６は、被駆動軸１１２に一体的に成形されており、歯１１６Ａが間欠的に形成されている。なお、この被駆動ギア１１６の構成については、後に詳述する。
【００１９】
遊星レバー１１８は、リング状に形成された遊星レバー本体１１８Ａと、その遊星レバー本体１１８Ａから外周方向に突出したアーム部１１８Ｂと、アーム部１１８Ｂの先端に設けられた支軸部１１８Ｃとで構成されている。遊星レバー本体１１８Ａは、駆動軸１１０に嵌合されて、駆動軸１１０の回りを回動自在に設けられており、この遊星レバー本体１１８Ａが、駆動軸１１０の回りを回動することにより、アーム部１１８Ｂが駆動軸１１０の回転中心を中心に揺動する。
【００２０】
遊星ギア１２０は、遊星レバー１１８の支軸部１１８Ｃに回転自在に設けられており、太陽ギアとして機能する駆動ギア１１４に噛合されている。この遊星ギア１２０は、遊星レバー１１８を正方向（図中Ａ方向）に揺動させることにより、被駆動ギア１１６に噛み合わされ、遊星レバー１１８を逆方向（図中Ｂ方向）に揺動させることにより、被駆動ギア１１６との噛み合いが外される。
【００２１】
そして、この遊星ギア１２０が被駆動ギア１１６に噛み合わされることにより、駆動軸１１０の回転が、駆動ギア１１４から遊星ギア１２０を介して被駆動ギア１１６に伝達され、被駆動軸１１２が回転する。また、この遊星ギア１２０と被駆動ギア１１６との噛み合わせが外されることにより、駆動軸１１０から被駆動軸１１２への回転伝達が遮断される。
【００２２】
このように、回転伝達装置１００は、遊星ギア１２０を被駆動ギア１１６に噛み合せたり、その噛み合せを外したりすることにより、駆動軸１１０の回転を被駆動軸１１２に断続して伝達する。
【００２３】
さて、上記のように、本実施の形態の回転伝達装置１００では、被駆動ギア１１６の歯１１６Ａが間欠的に形成されている。これは以下の理由に基づくものである。
【００２４】
すなわち、通常の歯の被駆動ギアを用いた場合、遊星ギア１２０を被駆動ギア１１６から外す際、被駆動軸１１２の回転が規制されていたり、遊星ギア１２０とは逆方向に回転されていたりすると、遊星ギア１２０が被駆動ギア１１６に噛み合ったまま動かなくなり、被駆動ギア１１６から外れなくなるという不具合が生じる。
【００２５】
そこで、遊星ギア１２０を被駆動ギア１１６から外す際に、被駆動軸１１２の回転が規制されていたり、遊星ギア１２０と逆方向に回転駆動されていても、遊星ギア１２０をスムーズに被駆動ギア１１６から外すことができるようにするために、被駆動ギア１１６の歯１１６Ａが間欠的に形成されている。
【００２６】
また、被駆動ギア１１６と遊星ギア１２０は、遊星レバー１１８を逆方向（遊星ギア１２０が被駆動ギア１１６から外れる方向）に揺動させた際、互いに接触しないような形状に歯が形成されている。より詳しくは、次のように歯が形成されている。
【００２７】
図２において、曲線Ｌ1 、Ｌ2 は、遊星レバー１１８を逆方向に揺動させた場合における遊星ギア１２０の歯１２０Ａ1 、１２０Ａ2 の歯先の移動軌跡を示している。遊星レバー１１８を逆方向に揺動させても、被駆動ギア１１６と遊星ギア１２０とが互い接触しない状態とは、この遊星ギア１２０の歯１２０Ａ1 、１２０Ａ2 の歯先の移動軌跡Ｌ1 、Ｌ2 上に被駆動ギア１１６の歯１１６が存在しないことであり、このような条件を満たすように、被駆動ギア１１６の歯１１６Ａの歯形と遊星ギア１２０の歯１２０Ａの歯形を形成する。
【００２８】
これにより、遊星ギア１２０を被駆動ギア１１６から外す際に、被駆動軸１１２の回転が規制されていたり、遊星ギア１２０と逆方向に回転駆動されていても、遊星ギア１２０をスムーズに被駆動ギア１１６から外すことができる。
【００２９】
このように、本実施の形態の回転伝達装置によれば、特別な機構を付加することなく、シンプルかつコンパクトな構成で確実に回転伝達装置を作動させることができる。
【００３０】
なお、遊星ギア１２０と被駆動ギア１１６との噛合い率を２以上とすることにより、回転駆動をスムーズに行なうことができる。
【００３１】
次に、本発明に係る回転伝達装置を予備巻き方式のカメラのスプールとスプロケットとの回転伝達に使用する場合を例に説明する。
【００３２】
図３は、本発明に係る回転伝達装置を用いた予備巻き方式のカメラの構成を示す背面斜視図である。
【００３３】
予備巻き方式のカメラでは、フィルム装填時にフィルムパトローネ内のフィルムが、すべてスプールに巻き取られ、このスプールに巻き取られたフィルムが、撮影時に１コマずつフィルムパトローネに巻き戻されて、撮影が行なわれる。
【００３４】
このカメラ１０では、１３５フィルムが使用される。１３５フィルムのフィルムパトローネ１は、パトローネ本体２とパトローネ軸３とで構成されている。パトローネ本体２は、円筒状に形成されており、その外周にフィルム４を接線方向に繰り出すフィルム送出口２Ａが形成されている。パトローネ軸３は、パトローネ本体２の中心に回動自在に支持されており、その一端がパトローネ本体３の一端から突出されて設けられている。フィルム４は、帯状に形成されており、その両縁部に一定ピッチでパーフォレーション５、５、…が形成されている。未使用の状態において、フィルム４はパトローネ軸３に巻き付けられた状態でパトローネ本体２に収容されている。そして、その先端に形成されたフィルムリーダ４Ａの部分がフィルム送出口２Ａから所定量引き出されている。このフィルムリーダ４Ａの部分には、切欠き４Ｂが形成されている。
【００３５】
フィルムパトローネ１は、いわゆる逆装填ＤＩＬ（ドロップ・イン・ローディング）方式にてカメラ１０に装填される。すなわち、パトローネ軸３がパトローネ本体２から突出した方（フィルムリーダ４Ａの切欠き４Ｂが形成されていない方）からフィルムパトローネ１をパトローネ室に落とし込むようにして装填する。
【００３６】
カメラ１０の背面には、図３に示すように、裏蓋１２が開閉自在に設けれられている。裏蓋１２は、外装カバー１４と共にカメラ本体１６の外装をなし、ヒンジ１８によってカメラ本体１６に開閉自在に設けられている。この裏蓋１２は、裏蓋本体１２Ａと底蓋部１２Ｂとからなり、裏蓋本体１２Ａによって、カメラ本体１６の背面が覆われ、底蓋部１２Ｂによって、カメラ本体１６の底面に形成されたパトローネ装填口が覆われる。
【００３７】
カメラ本体１６の背面には、フィルム４が走行するフィルム走行面２０が形成されている。フィルム走行面２０には、フィルム４の露光範囲を規制するアパーチャ２２が形成されている。また、フィルム走行面２０には、アパーチャ２２の上辺及び下辺に沿ってガイドレール２４、２４が設けられている。フィルム４は、このガイドレール２４、２４上を裏蓋本体１２Ａの内側に設けられた圧板２６に押さえ付けられながら走行する。
【００３８】
アパーチャ２２の右側にはフィルムパトローネ１を装填するパトローネ室２８が設けられており、左側にはフィルム４を巻き取るフィルム巻取り室３０が設けられている。
【００３９】
パトローネ室２８は、底面にパトローネ装填口２８Ａを有しており、このパトローネ装填口２８Ａからフィルムパトローネ１がパトローネ軸３に沿って挿入される。また、パトローネ室２８には巻き戻しフォーク３２が設けられており、パトローネ室２８に装填されたフィルムパトローネ１は、この巻き戻しフォーク３２にパトローネ軸３が嵌合される。そして、この巻き戻しフォーク３２にパトローネ軸３が回転駆動されることにより、フィルム４がパトローネ本体２に巻き戻される。
【００４０】
一方、フィルム巻取り室３０には、フィルム４を巻き取るスプール３４が設けられている。スプール３４には、上端部外周に複数の引っ掛け爪３４Ａが周方向に一定ピッチで形成されており、この引っ掛け爪３４Ａにフィルム４のパーフォレーション５が係合して、フィルム４が巻き付けられる。
【００４１】
フィルムパトローネ１をパトローネ室２８に装填する場合は、パトローネ軸３が突出した方からフィルムパトローネ１をパトローネ装填口２８Ａに挿入し、パトローネ軸３に沿ってパトローネ室２８に落とし込むようにして、フィルムパトローネ１をパトローネ室２８に装填する。
【００４２】
フィルムパトローネ１をパトローネ室２８に装填すると、あらかじめフィルム送出口２Ａから引き出されているフィルムリーダ４Ａの部分が、アパーチャ２２の上にセットされ、そのフィルムリーダ４Ａの先端がフィルム巻取り室３０の上に位置する。
【００４３】
ここで、アパーチャ２２とフィルム巻取り室３０との間には、スプロケット３６が配設されており、アパーチャ２２上にセットされたフィルムリーダ４Ａは、このスプロケット３６の歯３６Ａにパーフォレーション５が噛み合わされる。スプロケット３６は、上側のガイドレール２４の終端位置に形成された貫通穴３８から突出して設けられており、スプール３４から回転が伝達されて回転する。
【００４４】
スプール（駆動軸）３４からスプロケット（被駆動軸）３６への回転伝達は回転伝達装置５０にて行なわれ、回転伝達装置５０は、スプール３４の回転方向に応じて回転を断続してスプロケット３６に伝達する。すなわち、スプール３４がフィルム４を巻き取る方向に回転されると、その回転をスプロケット３６に伝達して、スプロケット３６をスプール３４と同じ方向に回転させ、スプール３４がフィルム４を繰り出す方向に回転されると、スプロケット３６への回転の伝達を遮断し、スプロケット３６をフリーにする。この際、回転伝達装置５０は、フィルム４の巻き緩みを防止すべく、スプール３４に所定のフリクションを与える。
【００４５】
図４は、回転伝達装置を含むスプールと巻き戻しフォークの回転駆動部の構成を示す斜視図である。
【００４６】
同図に示すように、スプール３４は下端に拡径部３４Ｂを有している。この拡径部３４Ｂは円盤状に形成されており、カメラ本体１６に形成されたスプール支持部５２に回転自在に支持されている。
【００４７】
また、スプール３４は中空状に形成されており、その内側には図示しないモータが配置されている。このモータの回転は、スプール支持部５２の内側に配設された図示しない出力切替機構によって、スプール側と巻き戻しフォーク側とに選択的に伝達される。出力切替機構は、モータの回転方向に応じて出力先を切り替え、モータを正回転させると、スプール側にモータの回転を伝達し、逆回転させると、巻き戻しフォーク側にモータの回転を伝達する。
【００４８】
ここで、スプール３４の拡径部３４Ｂの内周部には、図示しない内歯が形成されており、出力切替機構によってスプール側にモータの回転を出力すると、この内歯に図示しないギアを介してモータの回転が伝達され、スプール３４が時計回り（図４の矢印Ａ方向）に回転する。
【００４９】
一方、巻き戻しフォーク側にモータの回転が伝達されると、ギア列５４にモータの回転が伝達される。そして、ギア列５４からシャフト５６の下端部に設けられたギア５６Ａに回転が伝達され、シャフト５６が回転する。シャフト５６の上端部には、ギア５６Ａが設けられており、このギア５６Ｂからアイドルギア５８を介して巻き戻しフォーク３２に形成されたギア６０にシャフト５６の回転が伝達され、巻き戻しフォーク３２が反時計回り（図２の矢印Ｂ方向）に回転する。
【００５０】
図５〜図７は、それぞれスプールの回転をスプロケットに伝達する回転伝達装置の構成を示す斜視図、平面図、縦断面図である。
【００５１】
図７に示すように、スプール３４は、上端に縮径部３４Ｃを有している。この縮径部３４Ｃの端面には、軸受穴３４ｃが形成されており、この軸受穴３４ｃにはスプール支軸６２Ａが嵌入されている。スプール支軸６２Ａは、カメラ本体１６の上面部に取り付けられた上フレーム６２に一体成形されており、スプール３４は、このスプール支持軸６２Ａの回りを回転する。
【００５２】
また、このスプール３４の縮径部３４Ｃは、フィルム巻取り室３０の上面に形成された穴６４に嵌入されて、カメラ本体１６の上方に突出して設けられている。穴６４は、スプール支軸６２Ａと同軸上に形成されており、その上縁部には環状の軸受部６６が一体的に形成されている。この軸受部６６には、遊星レバー６８が回転自在に支持されている。
【００５３】
遊星レバー６８は、環状に形成された遊星レバー本体６８Ａと、その遊星レバー本体６８Ａから水平に延びるアーム部６８Ｂとで構成されている。
【００５４】
遊星レバー本体６８Ａは、軸受部６６に嵌合されて、回転自在に支持されており、これにより、遊星レバー６８がスプール３４の縮径部３４Ｃの回りを回転する。
【００５５】
アーム部６８Ｂは、その先端上部に支軸部７０を有しており、この支軸部７０には遊星ギア７２が回転自在に支持されている。遊星ギア７２は、スプール３４の縮径部３４Ｃに形成されたスプールギア（駆動ギア）７４に噛合されている。
【００５６】
また、この支軸部７０の上端部は、上フレーム６２に形成された長穴６２Ｂに嵌入されている。長穴６２Ｂは、スプール支軸６２Ａを中心とする円弧状に形成されており、支軸部７０は、遊星レバー６８の回転に伴って、この長穴６２Ｂ内を移動する。そして、この長穴６２の端部に支軸部７０が当接することにより、遊星レバー６８の回転範囲が規制され、遊星レバー６８が所定の角度範囲で揺動する。
【００５７】
なお、この揺動レバー６８の揺動範囲は、後述するように、遊星ギア７２がスプロケットギア７６と噛合する位置（噛合位置）と、遊星ギア７２がスプロケットギア７６から離れる位置（退避位置）との間を揺動するように規制される。
【００５８】
スプロケット３６は、その軸部３６Ｂがカメラ本体１６に形成された図示しないスプロケット支持部に回転自在に支持されている。軸部３６Ｂには、スプロケットギア（被駆動ギア）７６が固着されており、このスプロケットギア７６に遊星ギア７２が噛合することにより、スプール３４の回転がスプロケット３６に伝達される。
【００５９】
ここで、このスプロケットギア７６は、図５及び図６に示すように、その歯７６Ａが完結的に形成されている。また、このスプロケットギア７６と遊星ギア７２は、遊星レバー６８を逆方向に揺動させた際、互いの歯７６Ａ、７２Ａが接触しないように、その歯形が形成されている。
【００６０】
遊星ギア７２は、遊星レバー６８が揺動することにより、スプロケットギア７６に噛合したり、スプロケットギア７６から離れたりする。遊星レバー６８は、スプール３４との間に与えられるフリクションによってスプール３４に連動して揺動し、これにより、遊星ギア７２がスプロケットギア７６に噛合したり、スプロケットギア７６から離れたりする。この遊星レバー６８とスプール３４との間に与えられるフリクションは、スプール３４に巻き付けられたフリクションバネ７８によって与えられる。
【００６１】
フリクションバネ７８は、コイル状に形成されており、スプール３４に形成された縮径部３４Ｃの基端部外周に巻き付けられている。このフリクションバネ７８の内径は縮径部３４Ｃの外径よりも若干小さく形成されており、縮径部３４Ｃの外周を締め付けるようにして、縮径部３４Ｃに装着されている。
【００６２】
また、このフリクションバネ７８の一端は、上方に向けて屈曲して設けられており、この屈曲部７８Ａに遊星レバー６８に形成された連結部６８Ｃが連結されている。連結部６８Ｃは、遊星レバー本体６８の内周部に突出して設けられており、フリクションバネ７８の屈曲部７８Ａが嵌入されるスリット６８ｃを有している。縮径部３４Ｃに巻き付けられたフリクションバネ７８は、この連結部６８Ｃのスリット６８ｃに屈曲部７８Ａが嵌入されることにより、遊星レバー６８に連結される。
【００６３】
前記のごとく構成された本実施の形態の回転伝達装置を含むスプールと巻き戻しフォークの回転駆動部の作用は次のとおりである。
【００６４】
本実施の形態のカメラは、予備巻き方式のカメラであるから、フィルムパトローネ１をパトローネ室２８に装填すると、フィルムパトローネ１に収容されているフィルム４が、一度全てスプール３４に巻き取られる。このフィルム４の巻き取りは次のように行なわれる。
【００６５】
上記のように、フィルムパトローネ１をパトローネ室２８に装填すると、あらかじめフィルム送出口２Ａから引き出されているフィルムリーダ４Ａがアパーチャ２２の上にセットされる。これと同時にフィルムリーダ４Ａに形成されているパーフォレーション５にスプロケット３６の歯３６Ａが噛み合わされる。この状態で裏蓋１２を閉じると、モータが正方向に回転駆動される。
【００６６】
モータが正方向に回転駆動されると、出力切替機構により、モータの回転がスプール側に伝達され、スプール３４が正方向（図中Ａ方向）に回転する。
【００６７】
スプール３４が正方向に回転すると、フリクションバネ７８を介してスプール３４と連結された遊星レバー６８が、フリクションバネ７８によって与えられるフリクションによりスプール３４に連れ回りし、正方向（図中Ａ方向）に揺動する。この結果、遊星ギア７２がスプロケットギア７６に向かって移動し、所定位置（噛合位置）でスプロケットギア７６と噛合する。そして、遊星ギア７２がスプロケットギア７６に噛合することにより、スプール３４の回転が、遊星ギア７２を介してスプロケットギア７６に伝達され、スプロケット３６が正方向（図中Ａ方向）に回転する。
【００６８】
フィルムリーダ４Ａは、この回転するスプロケット３６によってフィルム巻取り室３０に送られる。そして、フィルム巻取り室３０に送られたフィルムリーダ４Ａは、正方向に回転するスプール３４の引っ掛け爪３４Ａにパーフォレーション５が嵌合し、スプール３４に巻き付けられる。なお、この際、スプール３４は、遊星ギア７２がスプロケットギア７６に噛合して、遊星レバー６８の揺動が止められることにより、フリクションバネ７８からフリクションを与えられながら回転する。
【００６９】
このようにしてフィルム４をスプール３４に巻き取り、パーフォレーション１に収容されているフィルム４が全てスプール３４に巻き取られたところで、モータの回転が停止される。これにより、撮影が可能になる。
【００７０】
撮影時は、スプール３４に巻き付けられたフィルム４が、１コマずつフィルムパトローネ１に巻き戻される。フィルムパトローネ１へのフィルム４の巻き戻しは、モータを逆方向に回転駆動することにより行なわれる。
【００７１】
モータを逆方向に回転させると、出力切替機構によってモータの出力先が切り替わり、巻き戻しフォーク３２が逆方向（図中Ｂ方向）に回転駆動される。
【００７２】
巻き戻しフォーク３２が逆方向に回転駆動されると、フィルム４がフィルムパトローネ１に巻き戻される。フィルム４がフィルムパトローネ１に巻き戻されると、そのフィルム４に引っ張られて、スプール３４が逆方向に回転する。そして、スプール３４が逆方向に回転することにより、フリクションバネ７８を介して遊星レバー６８が逆方向（図中Ｂ方向）に揺動し、遊星ギア７２がスプロケットギア７６から離れる方向に移動する。
【００７３】
ここで、上記のように、スプロケットギア７６は、歯７６Ａが間欠的に形成されており、また、遊星ギア７２とスプロケットギア７６は、遊星レバー６８を逆方向に揺動させた際、互いの歯７６Ａ、７２Ａが接触しないように、その歯形が形成されていることから、遊星レバー６８が逆方向に揺動した場合、スムーズに遊星ギア７２がスプロケットギア７６から外れる。
【００７４】
また、本実施の形態のように、予備巻き方式のカメラ１０の場合、フィルム４の状態によっては、スプロケット３６の方がスプール３４より先に回転する場合があるが、このような場合であっても、確実に遊星ギア７２がスプロケットギア７６から外れる。
【００７５】
逆方向に揺動した遊星レバー６８は、遊星ギア７２の支軸部７０が長穴６２Ｂの端部に当接することにより、揺動が規制される。これにより、遊星ギア７２がスプロケットギア７６から完全に退避した退避位置に位置し、スプロケット３６がフリーな状態になる。
【００７６】
一方、スプール３４は、遊星レバー６８の揺動が規制されることにより、フリクションバネ７８からフリクションが与えられながら回転し続け、１コマ分のフィルム４がフィルムパトローネ１に巻き戻されたところで、回転が停止される。
【００７７】
以後、スプール３４は、フィルム４が１コマ分巻き戻されるたびに、このフリクションバネ７８からフリクションが与えられながら回転する。そして、このようにフリクションバネ７８からフリクションが与えられながら回転することにより、巻き緩みを生じさせることなく、フィルム４を１コマずつ繰り出すことができる。
【００７８】
以上説明したように、本実施の形態のカメラ１０によれば、スプール３４とスプロケット３６との回転伝達に本発明に係る回転伝達装置５０を使用することにより、スプール３４からスプロケット３６への回転伝達の切り替えをスムーズに行なうことができる。
【００７９】
また、本発明に係る回転伝達装置は、特別な機構を付加する必要がないので、カメラ本体の構成をコンパクトにすることができる。
【図面の簡単な説明】
【００８０】
【図１】本発明に係る回転伝達装置の位置実施形態を示す平面図
【図２】図１の要部拡大図
【図３】本発明に係る回転伝達装置を用いたカメラの構成を示す背面斜視図
【図４】回転伝達装置を含むスプールと巻き戻しフォークの回転駆動部の構成を示す斜視図
【図５】回転伝達装置の構成を示す斜視図
【図６】回転伝達装置の構成を示す平面図
【図７】回転伝達装置の構成を示す縦断面図
【符号の説明】
【００８１】
１…フィルムパトローネ、２…フィルムパトローネ本体、２Ａ…フィルム送出口、３…パトローネ軸、４…フィルム、４Ａ…フィルムリーダ、４Ｂ…切欠き、５…パーフォレーション、１０…カメラ、１２…裏蓋、１６…カメラ本体、２０…フィルム走行面、２２…アパーチャ、２４…ガイドレール、２８…パトローネ室、２８Ａ…パトローネ装填口、３０…フィルム巻取り室、３２…巻き戻しフォーク、３４…スプール、３４Ａ…引っ掛け爪、３４Ｂ…拡径部、３４Ｃ…縮径部、３４ｃ…軸受穴、３６…スプロケット、３６Ａ…歯、３８…貫通穴、５０…回転伝達装置、５２…スプール支持部、５４…ギア列、５６…シャフト、５６Ａ…ギア、５６Ｂ…ギア、５８…アイドルギア、６０…ギア、６２…上フレーム、６２Ａ…スプール支軸、６２Ｂ…長穴、６４…穴、６６…軸受部、６８…遊星レバー、６８Ａ…遊星レバー本体、６８Ｂ…アーム部、６８Ｃ…連結部、６８ｃ…スリット、７０…支軸部、７２…遊星ギア、７４…スプールギア、７６…スプロケットギア、７８…フリクションバネ、７８Ａ…屈曲部、１００…回転伝達装置、１１０…駆動軸、１１２…被駆動軸、１１４…駆動ギア、１１６…被駆動ギア、１１８…遊星レバー、１１８Ａ…遊星レバー本体、１１８Ｂ…アーム部、１１８Ｃ…支軸部、１２０…遊星ギア
【図１】
2005273777.tif 000003
【図２】
2005273777.tif 000004
【図３】
2005273777.tif 000005
【図４】
2005273777.tif 000006
【図５】
2005273777.tif 000007
【図６】
2005273777.tif 000008
【図７】
2005273777.tif 000009